(57)【要約】【課題】計算機システム運用中にダンプデータセットの動的登録、削除を可能とする。【解決手段】計算機システムの立ち上げ時にダンプデータセットが登録される計算機システムにおいて、仮想記憶エリアに格納されたダンプデータを出力させるため予めシステム内に設定されるダンプデータセットＤＤＳを管理するための情報を登録するため主記憶にＤＤＳ管理テーブルをロードし、ＤＤＳとして定義されているデータセット名の内未だ使用されていないデータセット名をもつデータセットを作成し該テーブルに登録することでＤＤＳをシステムの立ち上げ完了後でもシステムへ登録可能とし、削除要求された登録済ＤＤＳに関する情報および登録済ＤＤＳそのものをＤＤＳ管理テーブルから削除することでシステムへ登録された登録済ダンプデータセットをシステムの立ち上げ完了後でもシステムから削除可能とする。【選択図】図１
2007141263.tif 000002
【特許請求の範囲】
【請求項１】
計算機システムの立ち上げ時にダンプデータセットが該計算機システムへ登録される計算機システムにおけるダンプデータセットの登録方法において、
仮想記憶エリアに格納されたダンプデータを出力させるため予め計算機システム内に設定されるダンプデータセットを管理するための情報を登録するため主記憶装置にダンプデータセット管理テーブルをロードするステップと、
ダンプデータセットとして定義されているデータセット名の内未だ使用されていないデータセット名をもつデータセットを作成し前記ダンプデータセット管理テーブルに登録することにより、前記ダンプデータセットを、前記計算機システムの立ち上げ完了後でも該計算機システムへ登録可能とする登録ステップと、
削除要求された登録済ダンプデータセットに関する情報および該登録済ダンプデータセットそのものを前記ダンプデータセット管理テーブルから削除することにより、前記計算機システムへ登録された登録済ダンプデータセットを、該計算機システムの立ち上げ完了後でも該計算機システムから削除可能とする削除ステップと、
を備えたことを特徴とする計算機システムにおけるダンプデータセットの登録方法。
【請求項２】
前記削除ステップ以外のダンプデータセットの削除要求を受けたとき前記ダンプデータセット管理テーブルを参照し、削除要求されたダンプデータセットに関する情報が存在すれば該削除要求されたダンプデータセットの削除を不能とし、削除要求されたダンプデータセットに関する情報が存在しなければ該削除要求されたダンプデータセットを削除することにより、前記登録済ダンプデータセットの削除を可能とする前記削除ステップ以外による該登録済ダンプデータセットの削除を不能とし、該登録済ダンプデータセットの消失や破壊を防止する保護ステップを備えた請求項１に記載の計算機システムにおけるダンプデータセットの登録方法。
【請求項３】
計算機システムの立ち上げ時にダンプデータセットが該計算機システムへ登録される計算機システムにおけるダンプデータセットの登録方法で用いられる記録媒体において、
仮想記憶エリアに格納されたダンプデータを出力させるため予め計算機システム内に設定されるダンプデータセットを管理するための情報を登録するため主記憶装置にダンプデータセット管理テーブルをロードするステップと、
ダンプデータセットとして定義されているデータセット名の内未だ使用されていないデータセット名をもつデータセットを作成し前記ダンプデータセット管理テーブルに登録することにより、前記ダンプデータセットを、前記計算機システムの立ち上げ完了後でも該計算機システムへ登録可能とする登録ステップと、
削除要求された登録済ダンプデータセットに関する情報および該登録済ダンプデータセットそのものを前記ダンプデータセット管理テーブルから削除することにより、前記計算機システムへ登録された登録済ダンプデータセットを、該計算機システムの立ち上げ完了後でも該計算機システムから削除可能とする削除ステップと、
をコンピュータに実行させるためのプログラムを記録したことを特徴とするコンピュータ読取り可能な記録媒体。
【発明の詳細な説明】
【技術分野】
【０００１】
本発明は、計算機システムに関し、特に、計算機システムにおけるダンプデータセットの登録方法およびそのための記録媒体に関する。
【背景技術】
【０００２】
ダンプデータセットは、一般的に計算機システムにおける障害発生時にその原因調査に必要な例えば仮想記憶エリアに格納されたダンプデータを出力させるために予め計算機システム内に設定しておくデータセットである。また、ダンプデータセットは、計算機システムに障害が発生したときばかりでなく、計算機システムが正常に作動しているときでも、特定の処理が設計通りに行われているか否かを確認するために使用されることもある。ダンプデータセットの採取は、低速ダンプではフォーマットして印刷装置に直接出力し、高速ダンプではフォーマットせずに磁気テープや磁気ディスクに出力した後、フォーマットして印刷装置に出力する。また、表示装置の画面上に出力するように構成したものもある。
【０００３】
従来技術による計算機システムにおけるダンプデータセットの登録方法では、計算機システム立ち上げ時にのみ、計算機システムへのダンプデータセットの登録を行うことができるが、計算機システム立ち上げ後は計算機システムへのダンプデータセットの登録や計算機システムへ登録された登録済ダンプデータセットの削除を行うことができない。また、従来技術による計算機システムにおけるダンプデータセットの登録方法では、計算機システム内への登録が完了した登録済ダンプデータセットを削除する際に制限が設けられていないため通常のデータセット削除処理により登録済ダンプデータセットを削除することができる。
【０００４】
また、従来技術による計算機システムにおけるダンプデータの採取方法では、ダンプデータセットにより割り付けられた外部記憶装置内の所定の記憶部における記憶容量が採取すべきダンプデータの容量より小さいとき、ダンプデータの採取中にダンプデータセットの容量不足を意味するメッセージを例えばＣＲＴの画面上に表示し、ダンプデータの採取を終了する。
【発明の開示】
【発明が解決しようとする課題】
【０００５】
上記のような従来技術による計算機システムにおけるダンプデータセットの登録方法では、計算機システム立ち上げ後の計算機システム運用中に新たにダンプデータセットが必要となる事態が生じても、計算機システム運用中にダンプデータセットをシステムへ登録する手段がないため、システムを再度立ち上げない限りダンプデータセットを追加できず、操作性が悪いという問題がある。
【０００６】
また、登録済ダンプデータセットが登録済みダンプデータセット削除手段以外の通常のデータセットの削除手段で削除可能であるため、必要な登録済ダンプデータセットが誤って削除されてしまうという問題がある。
【０００７】
本発明は、上記従来技術による計算機システムにおけるダンプデータセットの登録方法における問題点に鑑みてなされたもので、計算機システムの運用中でも必要に応じて新たなダンプデータセットを登録する登録ステップ、登録されたダンプデータセットの削除を可能とする削除ステップを備えた計算機システムにおけるダンプデータセットの登録方法を提供することを第１目的とする。本発明は、登録済みダンプデータセット削除ステップ以外による登録済ダンプデータセットの削除を不能とする登録済ダンプデータセットの保護ステップをさらに備えた計算機システムにおけるダンプデータセットの登録方法を提供することを他の目的とする。
【０００８】
本発明はまた、従来技術による計算機システムにおけるダンプデータセットの登録方法のための記録媒体を提供することを他の目的とする。
【課題を解決するための手段】
【０００９】
上記第１目的を達成する本発明による計算機システムにおけるダンプデータセットの登録方法は、計算機システムの立ち上げ時にダンプデータセットが該計算機システムへ登録される計算機システムにおけるダンプデータセットの登録方法において、仮想記憶エリアに格納されたダンプデータを出力させるため予め計算機システム内に設定されるダンプデータセットを管理するための情報を登録するため主記憶装置にダンプデータセット管理テーブルをロードするステップと、ダンプデータセットとして定義されているデータセット名の内未だ使用されていないデータセット名をもつデータセットを作成し前記ダンプデータセット管理テーブルに登録することにより、前記ダンプデータセットを、前記計算機システムの立ち上げ完了後でも該計算機システムへ登録可能とする登録ステップと、削除要求された登録済ダンプデータセットに関する情報および該登録済ダンプデータセットそのものを前記ダンプデータセット管理テーブルから削除することにより、前記計算機システムへ登録された登録済ダンプデータセットを、該計算機システムの立ち上げ完了後でも該計算機システムから削除可能とする削除ステップと、を備えたことを特徴とする。
【００１０】
本発明による計算機システムにおけるダンプデータセットの登録方法はまた、前記削除ステップ以外のダンプデータセットの削除要求を受けたとき前記ダンプデータセット管理テーブルを参照し、削除要求されたダンプデータセットに関する情報が存在すれば該削除要求されたダンプデータセットの削除を不能とし、削除要求されたダンプデータセットに関する情報が存在しなければ該削除要求されたダンプデータセットを削除することにより、前記登録済ダンプデータセットの削除を可能とする前記削除ステップ以外による該登録済ダンプデータセットの削除を不能とし、該登録済ダンプデータセットの消失や破壊を防止する保護ステップを備える。
【００１１】
上記第１目的を達成する本発明による計算機システムにおけるダンプデータセットの登録方法のためのコンピュータ読取り可能な記録媒体は、計算機システムの立ち上げ時にダンプデータセットが該計算機システムへ登録される計算機システムにおけるダンプデータセットの登録方法で用いられる記録媒体において、仮想記憶エリアに格納されたダンプデータを出力させるため予め計算機システム内に設定されるダンプデータセットを管理するための情報を登録するため主記憶装置にダンプデータセット管理テーブルをロードするステップと、ダンプデータセットとして定義されているデータセット名の内未だ使用されていないデータセット名をもつデータセットを作成し前記ダンプデータセット管理テーブルに登録することにより、前記ダンプデータセットを、前記計算機システムの立ち上げ完了後でも該計算機システムへ登録可能とする登録ステップと、削除要求された登録済ダンプデータセットに関する情報および該登録済ダンプデータセットそのものを前記ダンプデータセット管理テーブルから削除することにより、前記計算機システムへ登録された登録済ダンプデータセットを、該計算機システムの立ち上げ完了後でも該計算機システムから削除可能とする削除ステップと、をコンピュータに実行させるためのプログラムを記録したことを特徴とする。
【発明の効果】
【００１２】
以上説明したように、本発明の計算機システムにおけるダンプデータセットの登録方法によれば、計算機システムの運用中においてダンプデータセットが必要もしくは不要となる事態が生じても、即座に動的にダンプデータセットを登録もしくは削除することができるため、計算機システム使用者の労力を軽減でき、ダンプデータ登録や削除する時の作業効率を高めることができる。また、保護ステップにより登録済ダンプデータセットの削除を可能とする削除ステップ以外による登録済ダンプデータセットの削除を不能とし、登録済ダンプデータセットの消失や破壊を防止することができる。
【発明を実施するための最良の形態】
【００１３】
以下、添付図面を参照しつつ本発明の実施形態を詳細に説明する。
図１は本発明のダンプデータセットの管理方式を示す図である。
図１において主記憶装置にロードされるオペレーティングシステム（ＯＳ）１に組み込まれたダンプデータセット管理テーブル２は、オペランドの指定によるエントリ数、例えば１０個までの参照番号３−１〜３−１０で示すダンプデータセット（１）〜（１０）を管理するための情報を登録するためのテーブルである。このダンプデータセット管理テーブル２に情報が登録されているダンプデータセットを計算機システムに登録されている登録済ダンプデータセットと呼ぶ。
【００１４】
また、本明細書中、ダンプデータセットの作成、登録および削除は下記のように定義される。
ダンプデータセットの作成とは、ダンプデータセットとして定義されているデータセット名でダンプデータセットを作成することを意味する。
ダンプデータセットの登録とは、すでに作成されており、かつ計算機システムに登録されていないダンプデータセットに対して定義されているデータセット名と形式を持つデータセットの情報を、ダンプデータセット管理テーブル２に登録することを意味する。
【００１５】
ダンプデータセットの削除とは、ダンプデータセット管理テーブル２から削除対象のダンプデータセットに関する情報を削除するとともに、削除対象のダンプデータセットそのものを削除することを意味する。
次に図１に示す本発明のダンプデータセットの管理方式における動作を以下に説明する。
【００１６】
第一に、本発明による計算機システムにおけるダンプデータセットの登録方式では、計算機システムにおけるＣＰＵがＯＳ１のダンプデータセットの第１登録要求を受け付けると、ダンプデータセット管理テーブル２を参照し、ダンプデータセットとして定義されているデータセット名の内、未だ使用されていないデータセット名をもつ例えばダンプデータセット（１）を作成し、作成したダンプデータセット（１）の情報をダンプデータセット管理テーブル２に登録する。
【００１７】
また、ＣＰＵがダンプデータセットの第２登録要求を受け付けると、登録要求された例えばダンプデータセット（２）の情報をダンプデータセット管理テーブル２に登録する。
また、ＣＰＵが計算機システムへ登録された登録済ダンプデータセットの削除要求を受け付けると、登録済ダンプデータセット削除手段（ステップ）により、ダンプデータセット管理テーブル２を参照し、削除要求された登録済ダンプデータセット例えばダンプデータセット（３）に関する情報を削除するとともに削除要求された登録済ダンプデータセット（３）そのものを削除する。
【００１８】
また、ＣＰＵが登録済ダンプデータセット削除ステップ以外のダンプデータセットの削除要求を受け付けると、ダンプデータセット管理テーブル２を参照し、削除要求されたダンプデータセットに関する情報が存在すれば、ダンプデータセットの削除を不能とし、削除要求されたダンプデータセットに関する情報が存在しなければ、削除要求されたダンプデータセットを削除する。
【００１９】
第二に、本発明による計算機システムにおけるダンプデータの採取方式では、ダンプデータの採取中に、例えばダンプデータセット（１）が一杯になった場合、他の使用可能な、例えばダンプデータセット（２）を使用、もしくは他の使用可能なダンプデータセットがなく、作成済みのダンプデータセットがない場合は新たに例えばダンプデータセット（３）を作成した後にそのダンプデータセット（３）を登録し、作成済みのダンプデータセットがある場合はそのダンプデータセット例えばダンプデータセット（１０）を登録し、登録したダンプデータセット（３）またはダンプデータセット（１０）により割り付けられた外部記憶装置（例えば磁気ディスク）内の記憶部に、先のダンプデータの採取時にダンプデータセット（１）により割り付けられた外部記憶装置内の記憶部にダンプし残したダンプデータを書き込んでダンプデータの採取を続行する。
【００２０】
上記本発明による計算機システムにおけるダンプデータの採取方式の動作を以下により詳細に説明する。
ダンプデータの採取が終了した場合に、該採取が終了した原因について判定を行う。ダンプデータの採取中にダンプデータセットにより割り付けられた外部記憶装置の記憶部における容量が不足したために処理を終了した場合、オペレータに問い合わせを行い、下記の内何れか１つを選択させる。
（１）メッセージをＣＲＴ画面上に出力してダンプデータの採取を終了する。
（２）他のダンプデータセットによりダンプデータの採取を継続する。
（３）新たにダンプデータセットを作成し、作成したダンプデータセットを計算機システムに登録してダンプデータの採取を継続する。
（４）計算機システムに未登録のダンプデータセットを登録してダンプデータの採取を継続する。
【００２１】
問い合わせに対して「採取を終了する」が応答された場合（１）には、ＣＲＴ画面上にメッセージを出力して処理を終了する。
問い合わせに対して「他のダンプデータセットにダンプデータの採取を継続する」が応答された場合（２）には、ダンプデータセット管理テーブルを検索し、未使用のダンプデータセットに対してダンプデータの採取を継続する。
【００２２】
問い合わせに対して「新たにダンプデータセットを作成し、作成したダンプデータセットを計算機システムに登録してダンプデータの採取を継続する」が応答された場合（３）には、ダンプデータセット管理テーブル２を参照し、ダンプデータセットとして定義されているデータセット名の内、未だ使用されていないデータセット名でダンプデータセットを作成し、作成したダンプデータセットの情報をダンプデータセット管理テーブル２に登録し、その後ダンプデータの採取を継続する。
【００２３】
問い合わせに対して「計算機システムに未登録のダンプデータセットを計算機システムに登録してダンプデータの採取を継続する」が応答された場合（４）には、登録要求されたダンプデータセットの情報をダンプデータセット管理テーブル２に登録しその後ダンプデータの採取を継続する。
図２は本発明のダンプデータセット管理テーブルの説明図であり、（Ａ）はダンプデータセット管理テーブルのブロック構成図であり、（Ｂ）は各エントリの概要を示す図である。図２の（Ａ）に示すように、ダンプデータセット管理テーブル２内には本発明の実施形態ではオペランドの指定によりエントリ番号１から１０の１０個のダンプデータセットがエントリ可能となっている。
【００２４】
図２の（Ｂ）に示すように、ダンプデータセット管理テーブル２内の各エントリは、各ブロックが４バイトの４つのブロックからなる１６バイトの記憶容量を有する。第１ブロックには３バイトにデータセット名が１バイトにダンプデータの状態を示すフラグ、すなわちダンプデータがすでにダンプされたか否かを示すフラグがそれぞれ格納される。第２ブロックにはデータセットを管理するテーブルのアドレスが格納される。第３ブロックにはダンプデータがダンプされるデバイスに係る情報が格納される。本実施形態ではデバイスとして磁気ディスクが使用される。第４ブロックには磁気ディスクのレコード数、すなわち磁気ディスクの１トラック上に書き込み可能なデータ量を示すデータが格納され、予備として空きエリアも設けられている。
【００２５】
次に、本発明による計算機システムにおけるダンプデータセットの登録方式の一実施形態について以下に説明する。
図３は、ダンプデータセットの第１登録手順のフローチャートである。
ステップ３１では、ダンプデータセット管理テーブル２を検索して登録するデータセット名を決定する。すなわち、ダンプデータセット管理テーブル２を参照し、ダンプデータセットとして定義されたデータセット名の内、未だ計算機システムに登録されていないデータセット名を検索し、該データセット名を登録するデータセット名として決定しステップ３２へ進む。
【００２６】
ステップ３２ではステップ３１で決定したデータセット名が、未だ計算機システムに登録されていない未登録のダンプデータセットの中に存在するか否かを判別し、存在しているときはステップ３１へ戻り、存在していないときはステップ３３へ進む。
ステップ３３ではステップ３１で決定したデータセット名でダンプデータセットを作成する。
【００２７】
ステップ３４ではステップ３３で作成したダンプデータセットをオープンする。すなわち、データセット管理テーブルＤＳＭＴの記憶エリアを主記憶装置内に獲得する。ここで、データセット管理テーブルＤＳＭＴとはデータセットを管理するためのテーブルであり、このテーブルＤＳＭＴのアドレスがダンプデータセット管理テーブルに格納されている。
【００２８】
ステップ３５ではステップ３３で作成したダンプデータセットを初期化する。すなわち、データセットの書き込み終了を示すコードを作成したデータセットの先頭番地に書き込む。この処理によりデータセットに何も書き込みされていない状態にすることができる。
ステップ３６ではステップ３３で作成したダンプデータセットの情報をダンプデータセット管理テーブル２へ登録する。すなわち図２の（Ｂ）で説明したエントリを作成する。
【００２９】
ステップ３７では、各種メッセージ例えば「正常に終了」、「異常発生」等をＣＲＴ画面上に出力する。
以上のステップ３１〜３７を実行することによりダンプデータセットを作成した後、計算機システムへ登録することができる。
図４は、ダンプデータセットの第２登録手順のフローチャートを示す。
【００３０】
ステップ４１では、すでに作成済みであり登録を行うダンプデータセットがすでに計算機システムに登録させれているか否かをダンプデータセット管理テーブル２を参照して検索する。すでに登録されている場合には、ステップ４５へ進み、ステップ４５でメッセージをＣＲＴ画面上に出力する。
ステップ４２では、登録を行うダンプデータセットをオープンする。
【００３１】
ステップ４３では、登録を行うダンプデータセットを初期化する。
ステップ４４では、登録を行うダンプデータセットの情報をダンプデータセット管理テーブル２へと登録する。
ステップ４５では、各種メッセージをＣＲＴ画面上に出力する。
以上のステップ４１〜４５を実行することによりすでに作成済みのダンプデータセットを計算機システムに登録できる。
【００３２】
図５は、ダンプデータセットの削除手順のフローチャートを示す。
ステップ５１では、削除を行うダンプデータセットに関する情報がダンプデータセット管理テーブル２に登録されているか否かを検索する。登録されていない場合には、ステップ５６でＣＲＴ画面上にメッセージを出力する。
ステップ５２では、削除を行うダンプデータセットの削除処理を続行するか否かを確認する。削除続行のときはステップ５３へ進み、削除しないときは本ルーチンを終了する。
【００３３】
ステップ５３では、削除を行うダンプデータセットに関する情報をダンプデータセット管理デーブル２から削除する。すなわち、図２の（Ｂ）で示すエントリ内のデータを全てゼロクリアする。これにより削除されたエントリは未使用状態になる。
ステップ５４では、削除を行うダンプデータセットをクローズする。すなわち、前述のデータセット管理テーブルＤＳＭＴのために主記憶装置内に獲得した記憶エリアを開放することによりオープンして作成したＤＳＭＴを取り消す。
【００３４】
ステップ５５では、削除対象のダンプデータセットを削除する。
ステップ５６では、各種メッセージをＣＲＴ画面上に出力する。
以上のステップ５１〜５６を実行することによりダンプデータセットを削除できる。
図６は、登録済みダンプデータセット削除手順以外によるダンプデータセットの削除手順のフローチャートを示す。
【００３５】
ステップ６１では、削除を行うダンプデータセットに関する情報がダンプデータセット管理テーブル２に登録されているか否かを検索する。登録されている場合には、ダンプデータセットの削除を不可とする。すなわちステップ６２へ進んで削除処理を実行することなく本ルーチンを終了する。
ステップ６２では、削除対象のダンプデータセットを削除する。
【００３６】
以上のステップ６１および６２を実行することにより登録済ダンプデータセットの削除を、登録済ダンプデータセット削除ステップ以外による削除では削除されないように保護できる。
上述したような図３〜図６に示すフローチャートの処理を実行する本発明による計算機システムにおけるダンプデータセットの登録方式によれば、システムの運用中にダンプデータセットが必要／不要となった場合に、即座に動的にダンプデータセットを登録／削除することが可能となる。
【００３７】
次に、本発明による計算機システムにおけるダンプデータの採取方式の一実施形態について以下に説明する。
図７は、ダンプデータの採取手順のフローチャートを示す。
ステップ７１では、ダンプデータセットにダンプデータを採取する。すなわち、ダンプデータセットにより割り付けられた磁気ディスク内の記憶エリアにダンプデータを書き込む。
【００３８】
ステップ７２では、ダンプデータの採取処理が終了した原因を判定する。すなわち、ダンプデータの採取が全て終了している場合には、ステップ７７でＣＲＴ画面上にメッセージの出力を行う。ダンプデータの採取が完了していない場合には、ステップ７３へ進み、オペレータへの問い合わせを行う。
ステップ７３では、オペレータへダンプデータの出力を続行するか否かの問い合わせを行う。オペレータは、続行の中止（ステップ７７）、他の未使用のダンプデータセットにダンプデータの採取を続行（ステップ７４）、新たにダンプデータセットを作成してダンプデータの採取を続行（ステップ７５）、システムに未登録のダンプデータセットを登録してダンプデータの採取を続行（ステップ７６）、の何れかを選択する。
【００３９】
ステップ７４では、システムに登録されているダンプデータセットの内、未使用、すなわちそのダンプデータセットにより割り付けられた磁気ディスク内の記憶エリアへダンプデータを書き込んでいないダンプデータセットを検索する。その後ダンプデータの採取を続行する。
ステップ７５では、ダンプデータセットを作成した後、登録する。その後ダンプデータの採取を続行する。
【００４０】
ステップ７６では、すでに作成済みのダンプデータセットを登録する。その後ダンプデータの採取を続行する。
ステップ７７では、各種メッセージをＣＲＴ画面上に出力する。
以上のステップ７１〜７７を実行することによりダンプデータ採取中にダンプデータセットの容量の不足が発生しても、ダンプデータの採取を続行することができる。また、上記実施の形態ではステップ７３〜７７をオペレータと計算機システムとの間の対話形式により実現する処理手順を示したが、これらのステップは計算機システムにより自動的に実行させることもできる。
【００４１】
図８は、図７のステップ７５におけるダンプデータセット第１登録手順の詳細フローチャートを示す。
ステップ８１では、ダンプデータセット管理テーブル２を検索して登録するデータセット名を決定する。すなわち、ダンプデータセット管理テーブル２を参照し、ダンプデータセットとして定義されたデータセット名の内、未だ計算機システムに登録されていないデータセット名を検索し、該データセット名を登録するデータセット名として決定し、ステップ８２へ進む。
【００４２】
ステップ８２ではステップ８１で決定したデータセット名が、未だ計算機システムに登録されていない未登録のダンプデータセットの中に存在するか否かを判別し、存在しているときはステップ８１へ戻り、存在していないときはステップ８３へ進む。
ステップ８３では、ステップ８１で決定したデータセット名でダンプデータセットを作成する。
【００４３】
ステップ８４では、ステップ８３で作成したダンプデータセットをオープンする。
ステップ８５ではステップ８３で作成したダンプデータセットを初期化する。
ステップ８６ではステップ８３で作成したダンプデータセットの情報をダンプデータセット管理テーブル２へ登録する。すなわち図２の（Ｂ）で説明したエントリを作成する。
【００４４】
以上のステップ８１〜８６を実行することによりダンプデータセットを作成した後、計算機システムへ登録することができる。
図９は、図７のステップ７６におけるダンプデータセット第２登録手順の詳細のフローチャートを示す。
ステップ９１では、ダンプデータセット管理テーブル２を参照して登録を行うダンプデータセットがすでに計算機システムに登録されているか否かを検索する。すでに登録されている場合には、メッセージをＣＲＴ画面上に出力する。
【００４５】
ステップ９２では、登録を行うダンプデータセットをオープンする。
ステップ９３では、登録を行うダンプデータセットを初期化する。
ステップ９４では、登録を行うダンプデータセットの情報をダンプデータセット管理テーブル２へ登録する。
以上のステップ９１〜９４を実行することによりすでに作成済みのダンプデータセットを計算機システムに登録できる。
【００４６】
上述したような図７〜図９に示すフローチャートの処理を実行する本発明による計算機システムにおけるダンプデータの採取方式によれば、ダンプデータの採取中にダンプデータセットの容量不足が発生しても、ダンプデータの採取を続行することができる。
【００４７】
図１０は本発明の計算機システムの一実施例を示す図である。図１０を用いて本発明の記録媒体に記録されたプログラムの処理について以下簡単に説明する。本発明の計算機システムにおけるダンプデータセットの登録方式またはダンプデータの採取方式において、計算機システム１１０は、モニタ表示部を含む中央処理装置１１１と、記録媒体である例えばＲＡＭからなる主記憶装置１１２と、記録媒体である例えば磁気ディスクからなる補助記憶装置１１３とを備える。中央処理装置（ＣＰＵ）１１１は、ＣＤ−ＲＯＭやフロッピー（登録商標）ディスク等の可搬型の記録媒体１２０の読取装置を内蔵しており、所定の操作によりＣＤ−ＲＯＭやフロッピー（登録商標）ディスク等の可搬型の記録媒体１２０に記録された本発明によるダンプデータの登録方式または採取方式のためのプログラムをその読取装置を介して読取り、主記憶装置１１２にローディングする。もちろん、オペレータが計算機システム１１０の主記憶装置１１２にキーボードやマウス等の入力手段（図示せず）を介して直接上記プログラムを書き込んだ後、そのプログラムを補助記憶装置１１３にインストールしてもよい。あるいは、他のクライアントの計算機システム１３０等に設置された記録媒体である例えば磁気ディスクからなる補助記憶装置１３１に格納された上記プログラムをネットワーク（通信回線）を介して計算機システム１１０の補助記憶装置１１３にローディングする。その後、補助記憶装置１１３に格納されたプログラムは、計算機システム１１０の中央処理装置１１１の処理により必要に応じて主記憶装置１１２にローディングされ、中央処理装置１１１は要求に応じて主記憶装置１１２に書き込まれたプログラムを実行する。
【図面の簡単な説明】
【００４８】
【図１】本発明のダンプデータセットの管理方式を示す図である。
【図２】本発明のダンプデータセット管理テーブルの説明図であり、（Ａ）はダンプデータセット管理テーブルのブロック構成図であり、（Ｂ）は各エントリの概要を示す図である。
【図３】本発明のダンプデータセット第１登録手順のフローチャートである。
【図４】本発明のダンプデータセット第２登録手順のフローチャートである。
【図５】本発明のダンプデータセット削除手順のフローチャートである。
【図６】本発明の登録済ダンプデータセット削除手順以外によるダンプデータセット削除手順のフローチャートである。
【図７】本発明のダンプデータの採取手順のフローチャートである。
【図８】本発明のダンプデータセット第１登録手順の詳細のフローチャートである。
【図９】本発明のダンプデータセット第２登録手順の詳細のフローチャートである。
【図１０】本発明の計算機システムの一実施例を示す図である。
【符号の説明】
【００４９】
１    オペレーティングシステム
２    ダンプデータセット管理テーブル
３−１    ダンプデータセット（１）
３−１０    ダンプデータセット（１０）
【図１】
2007141263.tif 000003
【図２】
2007141263.tif 000004
【図３】
2007141263.tif 000005
【図４】
2007141263.tif 000006
【図５】
2007141263.tif 000007
【図６】
2007141263.tif 000008
【図７】
2007141263.tif 000009
【図８】
2007141263.tif 000010
【図９】
2007141263.tif 000011
【図１０】
2007141263.tif 000012